(57)【要約】【課題】耐久性の高い硫化水素除去用のフィルタを提供すること。【解決手段】ガラス繊維製のシート２に、保湿剤に銀塩を溶解した状態で担持させ、保湿剤に溶解している銀塩と硫化水素との反応により硫化水素を除去する。【選択図】        図１
2004354225.tif 000002
【特許請求の範囲】
【請求項１】
ガラス繊維からなる通気性のシートに、保湿剤に銀塩を溶解した状態で担持させたガス検出装置用妨害ガス除去用フィルタ。
【請求項２】
アルカリ成分を除去した酸化珪素繊維製の通気性のシートに、保湿剤に銀塩を溶解した状態で担持させたガス検出装置用妨害ガス除去用フィルタ。
【請求項３】
前記銀塩が、過塩素酸銀、パラトルエンスルフォン酸銀、硝酸銀の１つ、またはこれらの混合物である請求項１、または請求項２に記載のガス検出装置用妨害ガス除去用フィルタ。
【請求項４】
前記保湿剤が、グリセリン、または多価アルコールである請求項１、または請求項２に記載のガス検出装置用妨害ガス除去用フィルタ。
【発明の詳細な説明】
【０００１】
【産業上の利用分野】
本発明は、ガス検出器に流入する被検ガスから硫化水素等の妨害ガスを除去するためのフィルターに関する。
【０００２】
【従来の技術】
例えば石油化学や石油掘削の現場においては、硫化水素（Ｈ２Ｓ）、二酸化硫黄（ＳＯ２）、二酸化窒素（ＮＯ２）、一酸化炭素（ＣＯ）などの危険なガスが高い濃度で存在するため、これらのガスの濃度を常時モニターしている必要がある。
これらガスの内、二酸化硫黄や一酸化炭素を測定する場合には、通常、電解液と境面を形成させた作用極と電解液中に浸漬された対極との間に定電位を印加し、ガスの濃度により電解電流が変化することを利用した定電位電解型電気化学式センサーが用いられる。
【０００３】
このように硫化水素の存在する環境で定電位電解型電気化学式センサーを使用すると、硫化水素に対する感度が高いため、これが妨害成分として作用し、二酸化硫黄、二酸化窒素、一酸化炭素を検出することが困難となったり、また大きな測定誤差が生じるという問題がある。
このような問題を解消するため、特許文献１に見られるようにガス通気性を備えたセルロース製のシートに、多価アルコールと銀塩を保持させ、多価アルコールに溶解した銀塩と被検ガスに含まれている硫化水素を選択的に反応させて硫化水素を除去することが提案されている。
【特許文献１】特開平６−１８６１４号公報
【０００４】
【発明が解決しようとする課題】
しかしながら、銀塩として過塩素酸銀、硝酸銀やパラトルエンスルフォン酸銀等の水溶性の塩を使用する関係上、セルロースが酸の影響により時間とともに劣化、若しくは老化を来して粉化するという問題の他に、セルロースが検出目的の二酸化硫黄を吸着するため、測定感度の低下を招くという問題がある。
本発明はこのような問題に鑑みてなされたものであってその目的とするところは、耐久性が高く、かつ硫化水素を選択的に除去することができるガス検出装置用妨害ガス除去用フィルタを提供することである。
【０００５】
【課題を解決するための手段】
このような課題を解決するために請求項１の発明は、ガラス繊維からなる通気性のシートに、保湿剤に銀塩を溶解した状態で担持させるようにした。
また請求項２の発明は、アルカリ成分を除去した酸化珪素繊維製の通気性シートに、保湿剤に銀塩を溶解した状態で担持させるようにした。
【０００６】
【作用】
請求項１の発明によれば、一酸化炭素を測定対象とする場合に、一酸化炭素を吸着することなく、シートに担持されている保湿剤に溶解されている銀塩が硫化水素と選択的に反応して硫化水素の通過を阻止する。
また請求項２の発明によれば、二酸化硫黄、二酸化窒素、一酸化炭素を測定対象とする場合に、これらのガスを吸着することなく、シートに担持されている保湿剤に溶解されている銀塩が硫化水素と選択的に反応して硫化水素の通過を阻止する。
【０００７】
【発明の実施の形態】
そこで以下に本発明の詳細を図示した実施例に基づいて説明する。
図１（ａ）は、本発明のフィルタの一実施例を示すものであって、図中符号１は、本発明が特徴とするフィルタで、通常のガラス繊維が含有するアルカリ成分、例えばＮａ２Ｏ、Ｋ２Ｏ，Ａｌ２Ｏ３など１パーセント以下まで除去した酸化ケイ素（ＳｉＯ２）繊維をバインダーを使用することなく板状に成形された通気性のシート２（例えば東洋濾紙株式会社製の型番ＧＱ−１００の濾紙など）に、銀塩として過塩素酸銀を１平方メートル当り２５乃至５０グラムｗ／ｖパーセント、保湿剤としてグリセリンを２０グラム担持させて構成されている。
【０００８】
このフィルタ１は、過塩素酸銀を５乃至１０グラムｗ／ｖパーセント、グリセリン５グラムｗ／ｖパーセントをそれぞれメタノールに溶解した溶液に、を浸漬して溶液を繊維間に含浸させた後、ガラス繊維製通気シート２を引き上げてメタノ−ルを室温で蒸発させることにより製造することができる。
【０００９】
これにより、グリセリンの保持している水分に溶解した過塩素酸銀が硫化水素と選択的に反応して硫化水素をグリセリンに保持する。
【００１０】
図２は、本発明のフィルタが使用されるガス検出装置の一例を示すものであって、高分子射出成形により構成されたケース１０に電源ユニット、信号処理ユニット、発音素子を収容し、また表面に表示用パネル１１を設けて構成され、両端のバンド固定部１０ａの図示しないバンドにより腕に装着できるように構成されている。
【００１１】
ケース１０の側部には複数のガス取り込口１２が形成されていて、図３に示したようにそれぞれ異なるガスを検出する複数のボタン型ガスセンサー１３が収容されている。ガスセンサー１３の外側には、各センサー毎にガスを流入させるように窓１４ａを備えたセンサー固定枠１４が、両端の爪１５によりケース１０に装着されている。
【００１２】
センサー固定枠１４の表面には、各センサー１３に流入する大気の塵埃を除去する共通の防塵用フィルタ１６を介装してガス取り込口１２を備えたフィルタ固定枠１７が、着脱可能に装着されている。
センサ固定枠１４の特定のガスセンサーに対向する窓１４ａの周囲には上述のフィルタ１や他種類のフィルタ１’を収容する凹部１８、１９が形成されている。
【００１３】
この実施例によれば、フィルタ固定枠１７を外してフィルタ１をセットし、フィルタ固定枠１７を填めることだけで、グリセリンが大気中の水分を吸収して過塩素酸銀を溶解状態に維持するため、過塩素酸銀が硫化水素と選択的に反応してガスセンサーに浸入するのを防止する。一方、シート２は、Ｎａ２Ｏ、Ｋ２Ｏ，Ａｌ２Ｏ３等のアルカリ成分をほとんど含まないため目的ガスである二酸化硫黄（ＳＯ２）、二酸化窒素（ＮＯ２）、さらには一酸化炭素（ＣＯ）は吸着を受けることなく、ガスセンサに到達する。
【００１４】
なお、上述の実施例においては、銀塩として過塩素酸銀を使用しているが、硫化水素と反応しやすく、かつ水に溶解する銀塩、たとえば硝酸銀やパラトルエンスルフォン酸銀を使用しても同様の作用を奏する。
また、上述の実施例においては、グリセリンを保湿剤として使用しているが、他の保湿剤、例えばエチレングリコール等の多価アルコール類を使用することもできる。
【００１５】
また、シートに担持させる銀塩の量は、多い程硫化水素の除去能力が高くなるが、多価アルコールに対する飽和濃度を越えると、金属銀の析出により通気性が阻害されるから、上限値に自ずと制限が生じる。グリセリンの量を多くすれば、金属銀を析出させることなく担持できる程度に銀塩の含有量の上限を引き上げることが可能となるが、通気性が損なわれるから、やはり上限値に自ずと制限が生じる。
【００１６】
さらに、上述の実施例においては１種類の銀塩を使用する場合について説明したが、保湿剤で飽和を生じない範囲内で複数種類の銀塩（過塩素酸銀、硝酸銀、パラトルエンスルフォン酸銀）を組み合わせて使用しても同様の作用を奏することは明らかである。また、この実施例においては硫化水素の影響を比較的受け易い電気化学式ガスセンサーに適用する場合について説明したが、半導体ガスセンサー等の他の形式のガスセンサーの妨害ガス除去用フィルタとして使用しても同様の作用を奏することは明らかである。
【００１７】
なお、上述の実施例においては、被検ガスとして二酸化硫黄（ＳＯ２）、二酸化窒素（ＮＯ２）、一酸化炭素（ＣＯ）を対象としているが、二硫化水素の存在下で一酸化炭素だけを検出対象とする場合には、通常のガラス繊維で構成された通気性のシートに、銀塩を含浸させて構成することができる。
すなわち、アルカリガラスなどの通常のガラス繊維は、一酸化炭素に対する吸着性が極めて低いため、一酸化炭素に対しては測定誤差を生じることはない。
【００１８】
【発明の効果】
以上、説明したように本発明によれば、銀塩によるシートの劣化を受けることなく、銀塩と硫化水素との反応により硫化水素を除去することができる。
【図面の簡単な説明】
【図１】本発明のガス検出装置用妨害ガス除去用フィルタの一実施例を示す断面図である。
【図２】本発明のフィルタが適用される小型ガス測定装置の一実施例を示す斜視図である。
【図３】同上装置のガスセンサーの取付け部を分解して示す断面図である。
【符号の説明】
１  フィルタ
２  アルカリ成分を除去した酸化珪素繊維製の通気性シート
【図１】
2004354225.tif 000003
【図２】
2004354225.tif 000004
【図３】
2004354225.tif 000005